【手続補正書】
【提出日】平成16年10月7日(2004.10.7)
【手続補正１】
【補正対象書類名】明細書
【補正対象項目名】発明の名称
【補正方法】変更
【補正の内容】
【発明の名称】画像供給デバイス、記録装置及び記録システムとその制御方法
【手続補正２】
【補正対象書類名】明細書
【補正対象項目名】特許請求の範囲
【補正方法】変更
【補正の内容】
【特許請求の範囲】
【請求項１】
画像供給デバイスと記録装置とが直接通信し、前記画像供給デバイスから前記記録装置にデータを送信して記録を行う記録システムであって、
前記画像供給デバイスは、
画像データと前記画像データの記録に関する第１記録条件とを記憶する記憶媒体と接続するインターフェースと、
前記記録装置との通信により前記記録装置の有する機能に関する情報を取得する取得手段と、
前記取得手段により取得した前記機能に関する情報に基づいて前記画像データの記録に関する第２記録条件を設定する設定手段と、
前記第１及び第２記録条件に基づいて前記記録装置に対して記録を指示する記録指示手段とを有し、
前記記録装置は、
前記記録指示手段により指示された記録条件に従って前記記憶媒体に記憶されている画像データを取得して記録するように制御する記録制御手段を有することを特徴とする記録システム。
【請求項２】
前記画像供給デバイスは、前記第１記録条件或いは前記第２記録条件のいずれかを優先的に用いて前記記録装置に記録を指示するかを選択する選択手段を更に有することを特徴とする請求項１に記載の記録システム。
【請求項３】
前記画像供給デバイスは、更に、
前記第１記録条件と前記第２記録条件とを比較する比較手段と、
前記比較手段による比較により、前記第１記録条件と前記第２記録条件とが異なると判断された場合にいずれかを選択する記録条件選択手段を有することを特徴とする請求項１又は２に記載の記録システム。
【請求項４】
前記画像供給デバイスは、更に、
前記第１記録条件と前記第２記録条件とを比較する比較手段と、
前記比較手段による比較により、前記第１記録条件と前記第２記録条件とが異なると判断された場合に警告を表示する警告表示手段を有することを特徴とする請求項１又は２に記載の記録システム。
【請求項５】
前記第１記録条件は、ＤＰＯＦにより指示されていることを特徴とする請求項１乃至４のいずれか１項に記載の記録システム。
【請求項６】
前記画像供給デバイスは、前記第１記録条件を入力する入力手段と、前記入力手段により入力された情報に基づいて前記ＤＰＯＦを作成する手段とを有することを特徴とする請求項５に記載の記録システム。
【請求項７】
前記記録指示手段は、前記第２記録条件に前記第１記録条件で選択された画像データを含む前記第２記録条件用のコマンド列を作成することを特徴とする請求項１に記載の記録システム。
【請求項８】
前記第２記録条件は、前記画像供給デバイスと前記記録装置との間で共通のプロトコルに基づく記録条件であることを特徴とする請求項１乃至７のいずれか１項に記載の記録システム。
【請求項９】
画像データと前記画像データの記録に関する第１記録条件とを記憶する記憶媒体を接続するインターフェースと、
前記インターフェースを介した前記記録装置との通信により前記記録装置の有する機能に関する情報を取得する取得手段と、
前記取得手段により取得した前記機能に関する情報に基づいて前記画像データの記録に関する第２記録条件を設定する設定手段と、
前記第１及び第２記録条件に基づいて前記記録装置に対して記録を指示する記録指示手段と、
を有することを特徴とする画像供給デバイス。
【請求項１０】
前記第１記録条件或いは前記第２記録条件のいずれを優先的に用いて前記記録装置に記録を指示するかを選択する選択手段を更に有することを特徴とする請求項９に記載の画像供給デバイス。
【請求項１１】
前記第１記録条件と前記第２記録条件とを比較する比較手段と、前記比較手段による比較により、前記第１記録条件と前記第２記録条件とが異なると判断された場合にいずれかを選択する記録条件選択手段を更に有することを特徴とする請求項９又は１０に記載の画像供給デバイス。
【請求項１２】
前記第１記録条件と前記第２記録条件とを比較する比較手段と、前記比較手段による比較により、前記第１記録条件と前記第２記録条件とが異なると判断された場合に警告を表示する警告表示手段を更に有することを特徴とする請求項９又は１０に記載の画像供給デバイス。
【請求項１３】
前記第１記録条件は、ＤＰＯＦにより指示されていることを特徴とする請求項９乃至１２のいずれか１項に記載の画像供給デバイス。
【請求項１４】
前記第１記録条件を入力する入力手段と、前記入力手段により入力された情報に基づいて前記ＤＰＯＦを作成する手段とを有することを特徴とする請求項１３に記載の画像供給デバイス。
【請求項１５】
前記記録指示手段は、前記第２記録条件に前記第１記録条件で選択された画像データを含む前記第２記録条件用のコマンド列を作成することを特徴とする請求項９に記載の画像供給デバイス。
【請求項１６】
前記第２記録条件は、前記画像供給デバイスと前記記録装置との間で共通のプロトコルに基づく記録条件であることを特徴とする請求項９乃至１５のいずれか１項に記載の画像供給デバイス。
【請求項１７】
画像供給デバイスと記録装置とが直接通信し、前記画像供給デバイスから前記記録装置にデータを送信して記録を行う記録制御方法であって、
画像データと、前記画像データの記録に関する第１記録条件とが記憶された記憶媒体から、前記画像データ及び前記第１記録条件を読み出す読み出し工程と、
前記記録装置との通信により前記記録装置の有する機能に関する情報を取得する取得工程と、
前記取得工程で取得した前記機能に関する情報に基づいて前記画像データの記録に関する第２記録条件を設定する設定工程と、
前記読み出し工程で読み出された前記第１記録条件及び第２記録条件に基づいて前記記録装置に対して記録を指示する記録指示工程と、
前記記録指示工程で指示された記録条件に従って前記記憶媒体に記憶されている画像データを取得して記録するように制御する記録制御工程と、
を有することを特徴とする記録制御方法。
【請求項１８】
前記第１記録条件或いは前記第２記録条件のいずれを優先的に用いて前記記録装置に記録を指示するかを選択する選択工程を更に有することを特徴とする請求項１７に記載の記録制御方法。
【請求項１９】
前記第１記録条件と前記第２記録条件とを比較する比較工程と、前記比較工程による比較により、前記第１記録条件と前記第２記録条件とが異なると判断された場合にいずれかを選択する記録条件選択工程と更にを有することを特徴とする請求項１７又は１８に記載の記録制御方法。
【請求項２０】
前記第１記録条件と前記第２記録条件とを比較する比較工程と、前記比較工程による比較により、前記第１記録条件と前記第２記録条件とが異なると判断された場合に警告を表示する警告表示工程を更に有することを特徴とする請求項１７又は１８に記載の記録制御方法。
【請求項２１】
前記第１記録条件は、ＤＰＯＦにより指示されていることを特徴とする請求項１７乃至２０のいずれか１項に記載の記録制御方法。
【請求項２２】
前記第１記録条件を入力する入力工程と、前記入力工程により入力された情報に基づいて前記ＤＰＯＦを作成する工程とを有することを特徴とする請求項２１に記載の記録制御方法。
【請求項２３】
前記記録指示工程では、前記第２記録条件に前記第１記録条件で選択された画像データを含む前記第２記録条件用のコマンド列を作成することを特徴とする請求項１７に記載の記録制御方法。
【請求項２４】
前記第２記録条件は、前記画像供給デバイスと前記記録装置との間で共通のプロトコルに基づく記録条件であることを特徴とする請求項１７乃至２３のいずれか１項に記載の記録制御方法。
【請求項２５】
画像データと前記画像データの記録に関する第１記録条件とを記憶する記憶媒体を接続するインターフェースと、
前記記録装置との通信により前記記録装置の有する機能に関する情報を取得する取得手段と、
前記取得手段により取得した前記機能に関する情報に基づいて、前記画像データの記録に関する第２記録条件を設定する設定手段と、
前記第１記録条件を指定する情報を含む前記第２記録条件を前記記録装置に送信する送信手段と、
を有することを特徴とする画像供給デバイス。
【請求項２６】
前記第１記録条件を指定する情報は、ＤＰＯＦファイルを指定する情報であることを特徴とする請求項２５に記載の画像供給デバイス。
【請求項２７】
記録装置であって、
当該記録装置の有する機能に関する第１情報を画像供給デバイスに送信する送信手段と、
前記画像供給デバイスが有する第１記録条件を指定する第２情報を受信する受信手段とを有し、
前記第２情報は、前記記録装置の有する機能に関する前記第１情報に応じた第２記録条件の中で指示され、前記第２情報は、前記第２記録条件で記録される画像データで記述されていることを特徴とする記録装置。
【請求項２８】
前記第１記録条件は、ＤＰＯＦファイルで記述されており、前記受信手段で受信される前記第２情報は前記第２記録条件中で、出力すべき画像として前記ＤＰＯＦファイルを指定することを特徴とする請求項２７に記載の記録装置。
【請求項２９】
画像データの記録処理に関連した第１記録条件を記憶する記憶媒体からインターフェースを介して画像データを読み取る工程と、
前記記録装置との通信により前記記録装置の有する機能に関する情報を取得する取得工程と、
前記取得工程で取得した前記機能に関する情報に基づいて、前記画像データの記録に関する第２記録条件を設定する設定工程と、
前記第１記録条件を指定する情報を含む前記第２記録条件を前記記録装置に送信する送信工程と、
を有することを特徴とする画像供給デバイスの制御方法。
【請求項３０】
記録装置の有する機能に関する第１情報を画像供給デバイスに送信する送信工程と、
前記画像供給デバイスが有する第１記録条件を指定する第２情報を受信する受信工程とを有し、
前記第２情報は、前記記録装置の有する機能に関する前記第１情報に応じた第２記録条件の中で指示され、前記第２情報は、前記第２記録条件で記録される画像データで記述されていることを特徴とする記録装置の制御方法。
【請求項３１】
請求項１７乃至２４のいずれか１項に記載の記録制御方法を実行するプログラムを記憶していることを特徴とする、コンピュータにより読み取り可能な記憶媒体。
【請求項３２】
請求項２９又は３０に記載の制御方法を実行するプログラムを記憶していることを特徴とする、コンピュータにより読み取り可能な記憶媒体。
【手続補正３】
【補正対象書類名】明細書
【補正対象項目名】０００６
【補正方法】変更
【補正の内容】
【０００６】
【課題を解決するための手段】
上記目的を達成するために本発明の記録システムは以下のような構成を備える。即ち、
画像供給デバイスと記録装置とが直接通信し、前記画像供給デバイスから前記記録装置にデータを送信して記録を行う記録システムであって、
前記画像供給デバイスは、
画像データと、前記画像データの記録に関する第１記録条件を記憶する記憶媒体と接続するインターフェースと、
前記記録装置との通信により前記記録装置の有する機能に関する情報を取得する取得手段と、
前記取得手段により取得した前記機能に関する情報に基づいて前記画像データの記録に関する第２記録条件を設定する設定手段と、
前記第１及び第２記録条件に基づいて前記記録装置に対して記録を指示する記録指示手段とを有し、
前記記録装置は、
前記記録指示手段により指示された記録条件に従って前記記憶媒体に記憶されている画像データを取得して記録するように制御する記録制御手段を有することを特徴とする。